(57)【要約】【課題】紙製の容器でありながらもＣＤ−Ｒ／ＷやＤＶＤ−Ｒ／Ｗなどの記録円盤の出し入れが容易に行なえるようにし、使い勝手がよいとともに処分も容易に行なえる容器を得る。【解決手段】記録円盤収納用容器１の収納凹部４に配置した記録円盤Ａの周縁に対応する位置に、外フランジ１１から収納凹部４の中心側に向けて張り出る形状とした内フラン１４ジを設けて、その内フランジ１４と収納凹部４の周壁７とからなり、記録円盤Ａの周縁が差し入れられて記録円盤Ａを取り出し可能に支持する受け部１５を形成するようにした。【選択図】    図１
2005193916.tif 000002
【特許請求の範囲】
【請求項１】
ＣＤやＤＶＤなどの記録円盤の外周形状に対応して該記録円盤を配置可能にした収納凹部の周りに、収納凹部の径方向外方に張り出る形状とした外フランジを設けた紙製容器であり、
前記収納凹部に配置した記録円盤の周縁に対応する位置に、前記外フランジから収納凹部の中心側に向けて張り出る形状とした内フランジを設けて、該内フランジと収納凹部の周壁とからなり、記録円盤の周縁が差し入れられて記録円盤を取り出し可能に支持する受け部を備えることを特徴とする記録円盤収納用容器。
【請求項２】
上記収納凹部には、記録円盤の中央の非記録領域を受けて記録円盤の周縁を内フランジに当てる凸部が設けられている請求項１に記載の記録円盤収納用容器。
【請求項３】
上記収納凹部の開放上面の半分を、上記内フランジが非存在状態である記録円盤出し入れ口とした請求項１または２に記載の記録円盤収納用容器。
【請求項４】
上記出し入れ口には、外フランジの収納凹部径方向に対向する二つの位置から収納凹部中心に向けて張り出されて折り起こし可能な案内板が設けられ、
紙製容器に沿って上記記録円盤出し入れ口から伏した状態で収納凹部に差し入れられる記録円盤の周辺と前記案内板との摺接により、記録円盤が収納凹部に案内される構成とした請求項３に記載の記録円盤収納用容器。
【請求項５】
上記受け部は、収納凹部の全周に亘って位置している請求項１または２に記載の記録円盤収納用容器。
【請求項６】
収納凹部の周辺には外フランジの領域に前記収納凹部と連続する深さの指掛け凹部が設けられている請求項１から５の何れか一項に記載の記録円盤収納用容器。
【請求項７】
記録円盤を収納した収納凹部の開放上面は、透明フィルムにより覆われている請求項１から６の何れか一項に記載の記録円盤収納用容器。
【発明の詳細な説明】
【技術分野】
【０００１】
本発明はＣＤやＤＶＤ、特にＣＤ−Ｒ／ＷやＤＶＤ−Ｒ／Ｗなどの汎用の情報記録媒体となる記録円盤を収納する紙製の容器に関するものである。
【背景技術】
【０００２】
近年のパソコンの高性能化により、大容量の記録媒体であるＣＤ−Ｒ／ＷやＤＶＤ−Ｒ／Ｗなどを利用できる記録装置が標準装備されるようになり、これに合わせてＣＤ−Ｒ／ＷやＤＶＤ−Ｒ／ＷなどがＦＤに代わって多く流通するようになってきている。
ところで、ＣＤ−Ｒ／ＷやＤＶＤ−Ｒ／Ｗが広く普及する以前に、音楽情報や映画情報を記録したＣＤ−ＲＯＭやＤＶＤ−ＲＯＭなどが合成樹脂の専用ケースに収容した状態で流通していたことから、このＣＤ−Ｒ／ＷやＤＶＤ−Ｒ／Ｗなどにおいても同じ合成樹脂のケースに収められている。
一方、パソコンユーザーでのＣＤ−Ｒ／ＷやＤＶＤ−Ｒ／Ｗの利用用途はデータ保存であって容易に書き込み、書き換えなどが行なえるようになってきていることから、パソコンユーザーが所持するＣＤ−Ｒ／ＷやＤＶＤ−Ｒ／Ｗの枚数は多くなってきている。このような利用形態であるため、ＣＤ−Ｒ／ＷやＤＶＤ−Ｒ／Ｗなどの多くの記録円盤を取り扱う場合に合成樹脂のケース自体が嵩張り易く、また、これを廃棄物として処理する際には不燃物として取り扱わなければならないという不都合がある。そのため、これに代わる収容具が求められるようになってきている。
これに答えるものとして、包装袋の形態に折り上げることができる紙製のケース（特許文献１）や厚紙を重ね合わせてなるケース（特許文献２）が提案されている。
【特許文献１】特開平０９−２４０７７０号公報
【特許文献２】特開平１１−３４９０８０号公報
【発明の開示】
【発明が解決しようとする課題】
【０００３】
しかしながら従来の紙製のケースにあっては記録円盤のほぼ全体を挟み込むようにして保持したり、記録円盤の形状に対応した円孔に単にその記録円盤を嵌め入れて保持するものであったため、記録円盤を容易に出し入れすることができず、使用勝手がよいケースとはなっていなかった。
そこで本発明は上記事情に鑑み、紙製の容器でありながらもＣＤ−Ｒ／ＷやＤＶＤ−Ｒ／Ｗなどの記録円盤の出し入れが容易に行なえるようにすることを課題とし、使い勝手がよいとともに処分も容易に行なえる容器を得ることを目的とするものである。
【課題を解決するための手段】
【０００４】
本発明は上記課題を考慮してなされたもので、ＣＤやＤＶＤなどの記録円盤の外周形状に対応して該記録円盤を配置可能にした収納凹部の周りに、収納凹部の径方向外方に張り出る形状とした外フランジを設けた紙製容器であり、前記収納凹部に配置した記録円盤の周縁に対応する位置に、前記外フランジから収納凹部の中心側に向けて張り出る形状とした内フランジを設けて、該内フランジと収納凹部の周壁とからなり、記録円盤の周縁が差し入れられて記録円盤を取り出し可能に支持する受け部を備えることを特徴とする記録円盤収納用容器を提供して、上記課題を解消するものである。
【０００５】
本発明において上記収納凹部には、記録円盤の中央の非記録領域を受けて記録円盤の周縁を内フランジに当てる凸部が設けられているものとすることが可能である。
また、上記収納凹部の開放上面の半分を、上記内フランジが非存在状態である記録円盤出し入れ口とすることが可能であり、そして、上記出し入れ口には、外フランジの収納凹部径方向に対向する二つの位置から収納凹部中心に向けて張り出されて折り起こし可能な案内板が設けられ、紙製容器に沿って上記記録円盤出し入れ口から伏した状態で収納凹部に差し入れられる記録円盤の周辺と前記案内板との摺接により、記録円盤が収納凹部に案内される構成とすることが可能である。
さらに上記受け部は、収納凹部の全周に亘って位置しているものとすることが可能である。また、収納凹部の周辺には外フランジの領域に前記収納凹部と連続する深さの指掛け凹部が設けられているものとすることが可能であり、記録円盤を収納した収納凹部の開放上面は、透明フィルムにより覆われているものとすることが可能である。
【発明の効果】
【０００６】
本発明によれば、紙製容器であり、収納凹部の中心側に向けて張り出る内フランジと収納凹部の周壁とで受け部が形成され、その受け部に記録円盤の周縁が差し入れられて記録円盤を取り出し可能に支持することから、収納した記録円盤がその周縁に対応位置する受け部で支えられるようになり、記録円盤全体を包み囲む支持形態ではないため、記録円盤の出し入れが容易である。また、記録円盤を支持する受け部が記録円盤の情報記録領域に直接接触することがなく、出し入れに際しての情報記録領域への損傷を生じさせることがない。そして、紙製であるため、不要となった場合の処分が容易に行なえるなどの優れた効果を奏するものである。
【０００７】
また、収納凹部に記録円盤の中央の非記録領域に対応する凸部を設けて、この凸部により記録円盤の周縁を内フランジに当てるようにすれば、収納凹部に配した記録円盤をより安定的に収納させ、ガタ付きを防止できる。
【０００８】
収納凹部の開放上面の半分を、内フランジの無い記録円盤出し入れ口とすれば、記録円盤の出し入れ方向が明確になり、出し入れ操作がより簡単になる。
【０００９】
収納凹部の中心側に向けて張り出る二つの案内板を備え、その案内板への記録円盤の摺接によって記録円盤を収納凹部に案内できるようにすれば、記録円盤を収納する際に確実に収納凹部に位置させ、記録円盤の周縁を上記受け部に対応位置させることが容易になる。
【００１０】
収納凹部の全周に亘って受け部を設けるようにすれば、記録円盤をより一層安定的に収納凹部に位置させることができる。
【００１１】
収納凹部と連続する指掛け凹部を収納凹部の周辺に設けるようにすることで、記録円盤を取り出すときに、その指掛け凹部に指先を入れて記録円盤の辺部に掛けることができるようになり、記録円盤の取り出しがより確実に行なえるようになる。
【００１２】
記録円盤を収納した収納凹部の開放上面を透明フィルムで覆うにすれば、未使用の記録円盤の保護を確実に行なえるものとなり、また、透明フィルムの存在によって記録円盤が未使用であることの表示に行なえるようになるなどの効果を奏するものである。
【発明を実施するための最良の形態】
【００１３】
つぎに本発明を図１から図７に示す実施の形態に基づいて詳細に説明する。
図中１は記録円盤収納用容器で、該記録円盤収納用容器１は紙材をプレスモールドしてなりＣＤ−Ｒ／ＷやＤＶＤ−Ｒ／Ｗなどの記録円盤Ａを収納する紙製容器２とこの紙製容器２の前記記録円盤Ａが位置する側を覆う透明フィルム３とで構成されている。
【００１４】
上記紙製容器２は図示されているように、ＣＤやＤＶＤなどの記録円盤Ａの外周形状に対応してプレスにより凹陥された収納凹部４とこの収納凹部４の上周縁全周に亘って収納凹部４の径方向外方に張り出された取付フランジ５とからなる容器本体６を備えていて、この容器本体６の前記収納凹部４に記録円盤Ａが配置可能とされ、収納凹部４の周壁７を緩やかに傾斜、或いはカーブを持った曲面などとして形成して、この周壁７に記録円盤Ａの外周が接するようにしている（図２参照）。また、この収納凹部４の中央には、記録円盤Ａの中央の非記録領域を受けて収納凹部４に配置された記録円盤Ａを、この記録円盤収納用容器１を寝かせた時に支える凸部８が突設されている。
また、取付フランジ５は一ヶ所の張り出し量を大として略尖頭形状に形成され、その尖頭形状部分以外は同一の張り出し量に設けられている。そして、前記尖頭形状とした部分には収納凹部４と同一の深さに凹陥形成された凹部９が収納凹部４と連続するように設けられている。
このようにしてプレスモールドにより形成された容器本体６の上記取付フランジ５の上面に、同じく紙材からなる枠部材１０が貼り合わされている。枠部材１０はその外周形状を取付フランジ５の外周形状と同一にしているとともに、内周形状を収納凹部４と上記凹部９とに対応した開口を有するように打ち抜き形成されたものであり、この枠部材１０を容器本体６の取付フランジ５に貼り付けたことによって、強度が高められた外フランジ１１を、収納凹部４と前記凹部９との連続する外周から収納凹部４の径方向外方に向けて張り出させ、収納凹部４の外方に硬さの増した外フランジ１１を備えたものとして紙製容器２が形成されている。
【００１５】
紙製容器２では収納凹部４に連続する凹部９と枠部材１０の略Ｕ形状の切り欠き部分１２とを対応させて後述する指掛け凹部１３が形成されていて、この指掛け凹部１３は収納凹部４に連続する凹陥深さを有するものである（図３参照）。
また、指掛け凹部１２と対向する位置である収納凹部４の開口周辺の半分の領域には、枠部材１０を収納凹部４の中心側に向けて若干偏重することにより、外フランジ１１から収納凹部４の中心側に向けて内フランジ１４を設けたものとしている。そして、この内フランジ１４は、収納凹部４に記録円盤Ａを配置したときのその記録円盤Ａの周縁に対応する位置となる。
このように収納凹部４の開口周辺の半分の領域において内フランジ１４を張り出させており、この部分を、内フランジ１４と収納凹部４の周壁とから記録円盤Ａの周縁を差し入れることのできる受け部１５としている。
【００１６】
上記構成の記録円盤収納用容器１ではこれを横にした状態で収納凹部４に記録円盤Ａを配置した場合、凸部８で支えられた状態で周縁が周壁７に接するため、記録円盤収納用容器１が横揺れしたようなときにも、記録円盤Ａは収納凹部４内で確実に支持される。このとき、記録円盤Ａの非記録領域を受ける前記凸部８で、記録円盤Ａの情報記録領域を収納凹部４の底部１６から離しているため、摺接による情報記録領域に擦りきずを付けるようなことが未然に防止される。なお、凸部８が存在しない場合でも収納凹部４が記録円盤の形状に対応しているため、記録円盤の情報記録領域が底部と接した状態で横揺れさせてもズレ量はわずかであり、情報記録領域を損傷させることはない。よって、凸部８は必ずしも必要とされるものではない。逆にこの凸部８の突出高さを大きくし、収納凹部４に記録円盤Ａを配置したときにその記録円盤Ａの周縁が上記内フランジ１４の内面にあたるようにしてもよい。このようにすれば記録円盤Ａの収納状態はより安定する。さらに、この凸部８はプレスにより突出形成されたものである必要はなく、別部材の貼り付けにより得てもよい。
また、この記録円盤収納用容器１を上記指掛け凹部１３が上となるように立てた場合でも上記受け部１５により記録円盤Ａが支持されるため、その記録円盤Ａが収納凹部４から外れることはない。図中１７はこのように記録円盤収納用容器１と立てた吊り状態で陳列するときに利用するフック孔である。
【００１７】
記録円盤収納用容器１では、収納凹部４の開口周縁における指掛け凹部１３の半周を上記受け部１５が非存在となり、この領域を含む収納凹部４の半面を記録円盤出し入れ口１８としている。この記録円盤出し入れ口１８における上記受け部１５との連続部分には、図４に示すように上記枠部材１０の内周を張り出させてなる案内板１９が設けられている。図示するように案内板１９は収納凹部４の径方向に対向する二つの位置から張り出ていて、さらに受け部１５の突出端位置から外フランジ１１の領域内に亘る折り罫２０によって折り起こし可能に設けられている。
この案内板１９は、紙製容器２に対して伏した状態の記録円盤Ａを記録円盤出し入れ口１８から収納凹部４に差し入れるとき、記録円盤Ａの周辺と摺接して記録円盤Ａを収納凹部４に案内させるものであり、伏した状態の記録円盤Ａが収納凹部４に対して折り上がることなく適正に移動するようになる。このとき、案内板１９はそれぞれ折り罫２０が設けられているので、その折り罫２０の位置から若干折り起こされた状態となり、差し入れるときの抵抗とならず、スムーズに記録円盤Ａを移動させることができる。
図示の例では上記案内板１９と受け部１５を形成している内フランジ１４とが連続しているが、一対の案内板１９が記録円盤出し入れ口１８の最大幅となる位置であればよく、内フランジ１４と連続していなくとも記録円盤Ａの伏したスライド姿勢が維持されるため、記録円盤Ａの周縁が受け部１５に適正に差し入れられる。
さらにこの記録円盤出し入れ口１８における上記案内板１９に近接した位置で枠部材１０を切り欠いてなる逃げ部２１が設けられて外フランジ１１の厚さを部分的に小さくしており、厚みのある記録円盤Ａの周縁と、案内板直近の枠部材１０の内縁との摺接度合いが大きくならないようにして、記録円盤Ａのスムーズな移動が得られるようにしている。
上記案内板１９は記録円盤Ａを収納凹部４から取り出すときにも、記録円盤出し入れ口１８から適正に抜け出るように案内するものであり、また逃げ部２１も記録円盤Ａを取り出すときの抵抗を軽減するようになる。
【００１８】
このようにして記録円盤Ａが収納凹部４に出し入れされるが、記録円盤出し入れ口１８側に指掛け凹部１３が位置していることから、収納凹部４に記録円盤Ａが収納されているときにその記録円盤Ａの周辺が指掛け凹部１３の位置で表出する状態となる（図３参照）。これによって記録円盤Ａを取り出すときに指掛け凹部１３に位置させた指先をその記録円盤Ａの周縁に掛けるとともに他の指を記録円盤Ａの中央孔に掛けることで確実に記録円盤Ａを保持することができ、よって、記録円盤Ａの取り出しが容易になる。
【００１９】
本記録円盤収納用容器１では記録円盤Ａを配した収納凹部４が、外フランジ１１に剥離可能に貼り合わせた透明フィルム３により覆われている。この形態は未使用の記録円盤Ａを流通段階や店頭陳列段階で保護するものである。なお、記録円盤Ａの使用しに際してこの透明フィルム３を取り除いても受け部１５及び上記案内板１９によって、記録円盤Ａの周辺の半周より長い領域が支持されるため、収納凹部４から脱落することはない。
【００２０】
上記記録円盤収納用容器１は紙容器２がプレスモールドされた容器本体６と枠部材１０とからなるものとしたが、本発明はこれに限定されるものではなく、例えば図５、図６に示す三部材の重ね合わせとしてもよい。この例にあっては底紙材２３に、記録円盤Ａの形状に対応した開口２４と上記指掛け凹部形成用の開口２５とを備えた中紙材２６を貼り合わせて、収納凹部４に上記凹部９が連続している容器本体６を形成し、プレスモールドの手法によることなく周囲に中紙材２６からなる取付フランジ５を得るようにしている。そして、この容器本体６に上記実施例における枠部材と同じ枠部材１０を貼り合わせて紙製容器２が形成され、これを記録円盤収納用容器１としているものであり、収納凹部４に記録円盤Ａを収納した状態で上記透明フィルム３により覆ったものである。
【００２１】
上記実施の形態では内フランジ１４を張り出させてなる受け部１５を収納凹部４の開口周辺の半周部分に形成されるようにしたが、図７に示すように指掛け凹部の領域を含んだ記録円盤出し入れ口１８の内縁に上記案内板１９に連続するようにして内フランジ１４を張り出させ、案内板も一部に含む受け部１５を、記録円盤Ａの全周に亘って位置するように形成してもよい。そして、この場合、上述した記録円盤出し入れ口１８や逃げ部２１、指掛け凹部１３が得られるように、切り取りミシン目からなる切り取り線２７を設け、記録円盤Ａの取り出しの前に切り取り線２７より内方の部分を除去して記録円盤取り出し口が形成されるようにしてもよい。さらにこの場合には透明フィルムも必ず必要とされるものではない。
【図面の簡単な説明】
【００２２】
【図１】本発明に係る記録円盤収納用容器の一例を示す説明図である。
【図２】一例は収納凹部を横断する方向の断面で示す説明図である。
【図３】一例における指掛け凹部を断面で示す説明図である。
【図４】一例における案内板と逃げ部を示す説明図である。
【図５】他の実施例を分離した状態で示す説明図である。
【図６】他の実施例を断面で示す説明図である。
【図７】さらに他の実施例を示す説明図である。
【符号の説明】
【００２３】
１…記録円盤収納用容器
２…紙製容器
３…透明フィルム
４…収納凹部
５…取付フランジ
６…容器本体
７…周壁
９…凹部
１０…枠部材
１１…外フランジ
１３…指掛け凹部
１４…内フランジ
１５…受け部
１８…記録円盤出し入れ口
１９…案内板
２０…折り罫
２１…逃げ部
Ａ…記録円盤
【図１】
2005193916.tif 000003
【図２】
2005193916.tif 000004
【図３】
2005193916.tif 000005
【図４】
2005193916.tif 000006
【図５】
2005193916.tif 000007
【図６】
2005193916.tif 000008
【図７】
2005193916.tif 000009